(57)【要約】【課題】貼付材に皺が発生することを抑制する。【解決手段】シート１０では、シートバックパネル１６の第１貼付面２０Ａ、第２貼付面２２Ａ、第３貼付面２８Ａ及び第４貼付面３０Ａに不織布３８が貼付けられている。ここで、シートバックパネル１６では、外凹部２４が形成されて、外凹部２４の周囲に第１貼付面２０Ａ、第２貼付面２２Ａ及び第３貼付面２８Ａが配置されると共に、内凹部３２が形成されて、内凹部３２の周囲に第３貼付面２８Ａ及び第４貼付面３０Ａが配置されている。このため、シートバックパネル１６に貼付けられる不織布３８に発生する皺が外凹部２４及び内凹部３２に吸収されることで、不織布３８に皺が発生することを抑制でき、シート本体１２とシートバックパネル１６との合わせ部分の見栄えを向上できる。【選択図】図１
2015081002.tif 000002
【特許請求の範囲】
【請求項１】
凹部が設けられ、前記凹部の周囲に貼付面が設けられた貼付体と、
前記貼付面に貼付けられた貼付材と、
前記貼付材が対向される対向体と、
を備えた貼付構造。
【請求項２】
前記貼付材を貼付垂直方向に曲げた状態で前記貼付面に貼付けた請求項１記載の貼付構造。
【請求項３】
前記凹部の開口寸法を前記貼付材の曲率中心側へ向けて大きくした請求項２記載の貼付構造。
【請求項４】
前記凹部を前記貼付材の曲率中心側端から開放させた請求項２又は請求項３記載の貼付構造。
【発明の詳細な説明】
【技術分野】
【０００１】
本発明は、貼付体に貼付けられた貼付材が対向体に対向される貼付構造に関する。
【背景技術】
【０００２】
下記特許文献１では、ティビアパッドの表面に布体が貼付けられており、布体が車室の壁に対向されている。
【０００３】
しかしながら、特に布体が貼付垂直方向に曲げられた状態でティビアパッドの表面に貼付けられる場合には、布体に皺が発生する可能性がある。
【先行技術文献】
【特許文献】
【０００４】
【特許文献１】特開２００９−２４１９２０号公報
【発明の概要】
【発明が解決しようとする課題】
【０００５】
本発明は、上記事実を考慮し、貼付材に皺が発生することを抑制できる貼付構造を得ることが目的である。
【課題を解決するための手段】
【０００６】
請求項１に記載の貼付構造は、凹部が設けられ、前記凹部の周囲に貼付面が設けられた貼付体と、前記貼付面に貼付けられた貼付材と、前記貼付材が対向される対向体と、を備えている。
【０００７】
請求項２に記載の貼付構造は、請求項１に記載の貼付構造において、前記貼付材を貼付垂直方向に曲げた状態で前記貼付面に貼付けている。
【０００８】
請求項３に記載の貼付構造は、請求項２に記載の貼付構造において、前記凹部の開口寸法を前記貼付材の曲率中心側へ向けて大きくしている。
【０００９】
請求項４に記載の貼付構造は、請求項２又は請求項３に記載の貼付構造において、前記凹部を前記貼付材の曲率中心側端から開放させている。
【発明の効果】
【００１０】
請求項１に記載の貼付構造では、貼付体の貼付面に貼付材が貼付けられており、貼付材が対向体に対向されている。
【００１１】
ここで、貼付体に凹部が設けられており、貼付体の凹部の周囲に貼付面が設けられている。このため、貼付体の貼付面に貼付けられる貼付材に発生する皺が貼付体の凹部に吸収されることで、貼付材に皺が発生することを抑制できる。これにより、貼付材に発生する皺により貼付材と対向体及び貼付体の貼付面との間に隙間が発生することを抑制でき、対向体と貼付体との合わせ部分の見栄えを向上できる。
【００１２】
請求項２に記載の貼付構造では、貼付材が貼付垂直方向に曲げられた状態で貼付体の貼付面に貼付けられている。このため、貼付材に皺が発生し易い。
【００１３】
ここで、この場合でも、貼付材に発生する皺が貼付体の凹部に吸収されることで、貼付材に皺が発生することを抑制でき、対向体と貼付体との合わせ部分の見栄えを向上できる。
【００１４】
請求項３に記載の貼付構造では、貼付体の凹部の開口寸法が貼付材の曲率中心側へ向けて大きくされている。
【００１５】
ここで、貼付材の曲率中心側に向かうに従い貼付材に皺が発生し易くなるため、貼付材に発生する皺が貼付体の凹部に効果的に吸収されることで、貼付材に皺が発生することを効果的に抑制でき、対向体と貼付体との合わせ部分の見栄えを向上できる。
【００１６】
請求項４に記載の貼付構造では、凹部が貼付材の曲率中心側端から開放されている。
【００１７】
ここで、貼付材の曲率中心側に向かうに従い貼付材に皺が発生し易くなるため、貼付材に発生する皺が貼付体の凹部に効果的に吸収されることで、貼付材に皺が発生することを効果的に抑制でき、対向体と貼付体との合わせ部分の見栄えを向上できる。
【図面の簡単な説明】
【００１８】
【図１】本発明の実施形態に係るシートの主要部を示す右側から見た断面図（図２の１−１線断面図）である。
【図２】本発明の実施形態に係るシートのシートバックパネルを示す前側から見た裏面図である。
【図３】本発明の実施形態に係るシートのシートバックパネルを示す前側から見た拡大裏面図である。
【図４】本発明の実施形態に係るシートを示す左斜め後方から見た斜視図である。
【発明を実施するための形態】
【００１９】
図４には、本発明の貼付構造が適用された実施形態に係るシート１０が左斜め後方から見た斜視図にて示されている。なお、図面では、シート１０の前方を矢印ＦＲで示し、シート１０の右方を矢印ＲＨで示し、シート１０の上方を矢印ＵＰで示している。
【００２０】
本実施形態に係るシート１０は、車両の車室内に設置されている。
【００２１】
図４に示す如く、シート１０には、対向体としてのシート本体１２が設けられており、シート本体１２には、車両の乗員が着座可能にされている。
【００２２】
シート本体１２の下部には、シートクッション１３が設けられており、シートクッション１３は、略水平に配置されている。シート本体１２の後部には、対向部としてのシートバック１４が設けられており、シートバック１４は、シートクッション１３の後端から上側に起立されている。
【００２３】
図１〜図４に示す如く、シートバック１４の後側には、貼付体としての略矩形板状のシートバックパネル１６が装着されており、シートバックパネル１６の上側の各角部は、凸状に湾曲されている。シートバックパネル１６の裏側部分（前側部分）には、略円柱状の装着部１６Ａが所定数一体に設けられており、装着部１６Ａは、シートバックパネル１６から突出されている。所定数の装着部１６Ａは、シートバック１４に装着されており、これにより、シートバックパネル１６がシートバック１４に装着されて、シートバックパネル１６の裏面がシートバック１４の後面に対向されている。
【００２４】
シートバックパネル１６の裏側部分には、全周縁において、断面矩形状の縁部１８が形成されており、縁部１８は、シートバック１４側に突出されると共に、シートバックパネル１６の全周に延伸されている。
【００２５】
シートバックパネル１６の裏側部分には、縁部１８の内周側の全周において、貼付部を構成する凸部としての第１貼付部２０が設けられており、第１貼付部２０は、断面三角形状にされている。第１貼付部２０の表面（前側面）は、貼付面を構成する延伸部としての第１貼付面２０Ａにされており、第１貼付面２０Ａは、シートバックパネル１６の内周側へ向かうに従いシートバック１４側へ向かう方向に傾斜されると共に、シートバックパネル１６の全周に延伸されている。
【００２６】
シートバックパネル１６の裏側部分には、第１貼付部２０の内周側の全周において、貼付部を構成する第２貼付部２２が設けられており、第２貼付部２２は、断面三角形状にされている。第２貼付部２２には、凹部としての正面視矩形状の外凹部２４が複数形成されており、複数の外凹部２４は、シートバックパネル１６の周方向に等間隔で配置されている。外凹部２４と外凹部２４との間には、凸部としての正面視矩形状の外凸部２６が形成されており、外凸部２６は、板状（リブ状）にされている。外凸部２６は、第１貼付部２０に接続されており、外凸部２６は、第１貼付部２０によって補強されている。
【００２７】
第２貼付部２２の表面（前側面）は、貼付面を構成する第２貼付面２２Ａにされており、第２貼付面２２Ａは、外凸部２６によって構成されている。第２貼付面２２Ａは、第１貼付面２０Ａと面一にされており、第２貼付面２２Ａは、シートバックパネル１６の内周側へ向かうに従いシートバック１４側へ向かう方向に傾斜されている。第２貼付面２２Ａの幅方向及び外凹部２４の開口幅方向は、シートバックパネル１６の周方向に沿って配置されており、外凹部２４の開口幅寸法は、第２貼付面２２Ａの幅寸法に比し大きくされている。
【００２８】
シートバックパネル１６の裏側部分には、第２貼付部２２の内周側の全周において、貼付部を構成する凸部としての第３貼付部２８が設けられており、第３貼付部２８は、断面矩形状にされている。第３貼付部２８は、第２貼付部２２の外凸部２６に接続されており、第３貼付部２８は、外凸部２６を補強している。
【００２９】
第３貼付部２８の表面（前側面）は、貼付面を構成する延伸部としての第３貼付面２８Ａにされており、第３貼付面２８Ａは、シートバックパネル１６の面方向に平行に配置されると共に、シートバックパネル１６の全周に延伸されて第２貼付部２２の第２貼付面２２Ａに接続されている。
【００３０】
シートバックパネル１６の裏側部分には、第３貼付部２８の内周側の全周において、貼付部を構成する第４貼付部３０が設けられており、第４貼付部３０は、断面矩形状にされている。第４貼付部３０には、凹部としての正面視矩形状の内凹部３２が複数形成されており、複数の内凹部３２は、特にシートバックパネル１６の上側の各角部において、シートバックパネル１６の周方向に等間隔で配置されている。内凹部３２と内凹部３２との間には、凸部としての正面視矩形状の内凸部３４が形成されており、内凸部３４は、板状（リブ状）にされている。内凸部３４は、第３貼付部２８に接続されており、内凸部３４は、第３貼付部２８によって補強されている。
【００３１】
第４貼付部３０の表面（前側面）は、貼付面を構成する第４貼付面３０Ａにされており、第４貼付面３０Ａは、内凸部３４によって構成されている。第４貼付面３０Ａは、第３貼付面２８Ａと面一にされており、第４貼付面３０Ａは、シートバックパネル１６の面方向に平行に配置されている。第４貼付面３０Ａの幅方向及び内凹部３２の開口幅方向は、シートバックパネル１６の周方向に沿って配置されており、内凹部３２の開口幅寸法は、第４貼付面３０Ａの幅寸法に比し大きくされている。
【００３２】
シートバックパネル１６の裏側部分には、第４貼付部３０の内周側の全周において、補強部３６が設けられており、補強部３６は、断面矩形の板状（リブ状）にされている。補強部３６は、シートバックパネル１６の全周に延伸されて第４貼付部３０の内凸部３４に接続されており、補強部３６は、内凸部３４を補強している。
【００３３】
上記第１貼付部２０の第１貼付面２０Ａ、第２貼付部２２の第２貼付面２２Ａ、第３貼付部２８の第３貼付面２８Ａ及び第４貼付部３０の第４貼付面３０Ａの幅寸法は、同一にされている。また、第４貼付部３０の内凹部３２の開口幅寸法は、第２貼付部２２の外凹部２４の開口幅寸法に比し大きくされている。
【００３４】
シートバックパネル１６の裏面の外周部には、全周において、貼付材としての帯状（シート状）の不織布３８が貼付けられており、不織布３８は、可撓性を有している。不織布３８は、第１貼付部２０の第１貼付面２０Ａから第２貼付部２２の第２貼付面２２Ａ及び第３貼付部２８の第３貼付面２８Ａを介して第４貼付部３０の第４貼付面３０Ａの長手方向中間部までの範囲に配置されており、不織布３８は、第２貼付部２２と第３貼付部２８との境界位置において、貼付方向（肉厚方向）に曲げられている（屈曲されている）。
【００３５】
不織布３８は、シートバックパネル１６に貼付けられる前の自然状態で、長尺矩形状（直線状に延伸された形状）にされている。このため、不織布３８は、シートバックパネル１６に貼付けられた状態では、特にシートバックパネル１６の上側の各角部位置において、シートバックパネル１６の内周側（不織布３８の貼付直角方向（面方向））に曲げられている。
【００３６】
不織布３８は、例えば肉厚方向への弾性を有して、肉厚方向に収縮可能にされており、不織布３８は、シートバック１４の後面に当接（対向）されて、シートバックパネル１６とシートバック１４との当接を抑制している。これにより、特に車両の走行時の振動等によりシートバック１４とシートバックパネル１６とが当接して異音（当接音及びきしみ音）を発生することが不織布３８によって抑制されている。
【００３７】
次に、本実施形態の作用を説明する。
【００３８】
以上の構成のシート１０では、シートバックパネル１６の裏面の外周部における第１貼付部２０の第１貼付面２０Ａから第２貼付部２２の第２貼付面２２Ａ及び第３貼付部２８の第３貼付面２８Ａを介して第４貼付部３０の第４貼付面３０Ａの長手方向中間部までの範囲に、不織布３８が貼付けられている。
【００３９】
ここで、シートバックパネル１６では、第２貼付部２２に外凹部２４が形成されて、外凹部２４の幅方向（シートバックパネル１６周方向）両側に第２貼付面２２Ａが配置されると共に、外凹部２４の長手方向（シートバックパネル１６径方向）両側に第１貼付面２０Ａ及び第３貼付面２８Ａが配置されている。さらに、第４貼付部３０に内凹部３２が形成されて、内凹部３２の幅方向（シートバックパネル１６周方向）両側に第４貼付面３０Ａが配置されると共に、内凹部３２の長手方向（シートバックパネル１６径方向）一側に第３貼付面２８Ａが配置されている。このため、シートバックパネル１６に貼付けられる不織布３８に発生する皺が外凹部２４及び内凹部３２に吸収されることで、不織布３８に皺が発生することを抑制できる。これにより、不織布３８に皺による凸凹が発生することを抑制できて、不織布３８とシートバック１４及びシートバックパネル１６（第１貼付面２０Ａ、第２貼付面２２Ａ、第３貼付面２８Ａ及び第４貼付面３０Ａ）との間に隙間（浮き）が発生することを抑制でき、シートバック１４とシートバックパネル１６の外周部との合わせ部分の見栄えを向上できて、シート１０の見栄えを向上できる。さらに、特にシートバックパネル１６が透明である場合でも、シートバックパネル１６の不織布３８貼付部分の見栄えを向上できて、シート１０の見栄えを一層向上できる。しかも、シートバックパネル１６への不織布３８の貼付作業では、不織布３８への皺の発生による不織布３８の再貼付作業を抑制でき、作業工数を低減できて、シート１０の生産性を向上できる。
【００４０】
また、シートバックパネル１６の上側の各角部が凸状に湾曲されているため、特にシートバックパネル１６の上側の各角部位置においては、不織布３８がシートバックパネル１６の内周側に曲げられることで、不織布３８に皺が発生し易い。
【００４１】
ここで、この場合でも、上述の如く不織布３８に発生する皺が外凹部２４及び内凹部３２に吸収されることで、不織布３８に皺が発生することを抑制できる。
【００４２】
さらに、シートバックパネル１６の内周側の内凹部３２の開口幅寸法がシートバックパネル１６の外周側の外凹部２４の開口幅寸法に比し大きくされている。
【００４３】
ここで、不織布３８の曲率中心側（シートバックパネル１６の内周側）に向かうに従い不織布３８に皺が発生し易くなるため、不織布３８の曲率中心側において不織布３８に発生する皺が内凹部３２に効果的に吸収されることで、不織布３８に皺が発生することを効果的に抑制できる。
【００４４】
しかも、不織布３８が第４貼付部３０の第４貼付面３０Ａの長手方向中間部まで貼付けられており、内凹部３２が不織布３８の曲率中心側端からシートバックパネル１６の内周側に開放されている。このため、不織布３８の曲率中心側において不織布３８に発生する皺が内凹部３２に一層効果的に吸収されることで、不織布３８に皺が発生することを一層効果的に抑制できる。
【００４５】
また、第１貼付部２０の第１貼付面２０Ａが不織布３８の曲率円外周側端位置においてシートバックパネル１６の周方向（不織布３８の曲率円周方向）に延伸されると共に、第３貼付部２８の第３貼付面２８Ａが不織布３８の幅方向中間位置においてシートバックパネル１６の周方向（不織布３８の曲率円周方向）に延伸されている。このため、第１貼付面２０Ａ及び第３貼付面２８Ａに不織布３８が貼付けられることで、シートバックパネル１６に不織布３８を効果的に（強固に）貼付けることができる。
【００４６】
なお、本実施形態では、シートバックパネル１６に第１貼付部２０（第１貼付面２０Ａ）及び第３貼付部２８（第３貼付面２８Ａ）を設けた。しかしながら、シートバックパネル１６に第１貼付部２０（第１貼付面２０Ａ）及び第３貼付部２８（第３貼付面２８Ａ）の少なくとも一方を設けなくてもよい。
【００４７】
さらに、本実施形態では、外凹部２４（凹部）の一方向両側及び他方向（一方向の直交方向）両側に貼付面を配置すると共に、内凹部３２（凹部）の一方向両側及び他方向一側に貼付面を配置した。しかしながら、凹部の一方向両側のみに貼付面を配置してもよく、さらに、凹部の一方向一側及び他方向一側のみに貼付面を配置してもよい。
【００４８】
また、本実施形態では、本発明の貼付材を不織布３８にした。しかしながら、本発明の貼付材をフェルトやウレタンにしてもよい。
【００４９】
さらに、本実施形態では、本発明をシート１０に適用した。しかしながら、本発明をシート１０以外に適用してもよい。
【符号の説明】
【００５０】
１０    シート（貼付構造）
１２    シート本体（対向体）
１６    シートバックパネル（貼付体）
２０Ａ  第１貼付面（貼付面、延伸部）
２２Ａ  第２貼付面（貼付面）
２４    外凹部（凹部）
２８Ａ  第３貼付面（貼付面、延伸部）
３０Ａ  第４貼付面（貼付面）
３２    内凹部（凹部）
３８    不織布（貼付材）
【図１】
2015081002.tif 000003
【図２】
2015081002.tif 000004
【図３】
2015081002.tif 000005
【図４】
2015081002.tif 000006
【手続補正書】
【提出日】平成26年11月20日(2014.11.20)
【手続補正１】
【補正対象書類名】明細書
【補正対象項目名】０００６
【補正方法】変更
【補正の内容】
【０００６】
請求項１に記載の貼付構造は、凹部が設けられ、前記凹部の周囲に貼付面が設けられた貼付体と、前記貼付面に貼付けられると共に、前記凹部に沿って貼付けられない貼付材と、前記貼付面に貼付けられた後の前記貼付材が対向される対向体と、を備えている。
【手続補正２】
【補正対象書類名】明細書
【補正対象項目名】０００７
【補正方法】変更
【補正の内容】
【０００７】
請求項２に記載の貼付構造は、請求項１に記載の貼付構造において、前記貼付材を前記貼付面への貼付方向に垂直な貼付垂直方向に曲げた状態で前記貼付面に貼付けている。
【手続補正３】
【補正対象書類名】明細書
【補正対象項目名】０００８
【補正方法】変更
【補正の内容】
【０００８】
請求項３に記載の貼付構造は、請求項２に記載の貼付構造において、前記凹部の開口寸法が前記貼付材の前記貼付垂直方向への曲げにおける内周側を外周側に比し大きくされている。
【手続補正４】
【補正対象書類名】明細書
【補正対象項目名】０００９
【補正方法】変更
【補正の内容】
【０００９】
請求項４に記載の貼付構造は、請求項２又は請求項３に記載の貼付構造において、前記凹部を前記貼付材の前記貼付垂直方向への曲げにおける内周側の外側において開放させている。
【手続補正５】
【補正対象書類名】明細書
【補正対象項目名】００１２
【補正方法】変更
【補正の内容】
【００１２】
請求項２に記載の貼付構造では、貼付材が貼付面への貼付方向に垂直な貼付垂直方向に曲げられた状態で貼付体の貼付面に貼付けられている。このため、貼付材に皺が発生し易い。
【手続補正６】
【補正対象書類名】明細書
【補正対象項目名】００１４
【補正方法】変更
【補正の内容】
【００１４】
請求項３に記載の貼付構造では、貼付体の凹部の開口寸法が貼付材の貼付垂直方向への曲げにおける内周側を外周側に比し大きくされている。
【手続補正７】
【補正対象書類名】明細書
【補正対象項目名】００１５
【補正方法】変更
【補正の内容】
【００１５】
ここで、貼付材の貼付垂直方向への曲げにおける内周側に向かうに従い貼付材に皺が発生し易くなるため、貼付材に発生する皺が貼付体の凹部に効果的に吸収されることで、貼付材に皺が発生することを効果的に抑制でき、対向体と貼付体との合わせ部分の見栄えを向上できる。
【手続補正８】
【補正対象書類名】明細書
【補正対象項目名】００１６
【補正方法】変更
【補正の内容】
【００１６】
請求項４に記載の貼付構造では、凹部が貼付材の貼付垂直方向への曲げにおける内周側の外側において開放されている。
【手続補正９】
【補正対象書類名】明細書
【補正対象項目名】００１７
【補正方法】変更
【補正の内容】
【００１７】
ここで、貼付材の貼付垂直方向への曲げにおける内周側に向かうに従い貼付材に皺が発生し易くなるため、貼付材に発生する皺が貼付体の凹部に効果的に吸収されることで、貼付材に皺が発生することを効果的に抑制でき、対向体と貼付体との合わせ部分の見栄えを向上できる。
【手続補正１０】
【補正対象書類名】特許請求の範囲
【補正対象項目名】全文
【補正方法】変更
【補正の内容】
【特許請求の範囲】
【請求項１】
凹部が設けられ、前記凹部の周囲に貼付面が設けられた貼付体と、
前記貼付面に貼付けられると共に、前記凹部に沿って貼付けられない貼付材と、
前記貼付面に貼付けられた後の前記貼付材が対向される対向体と、
を備えた貼付構造。
【請求項２】
前記貼付材を前記貼付面への貼付方向に垂直な貼付垂直方向に曲げた状態で前記貼付面に貼付けた請求項１記載の貼付構造。
【請求項３】
前記凹部の開口寸法が前記貼付材の前記貼付垂直方向への曲げにおける内周側を外周側に比し大きくされた請求項２記載の貼付構造。
【請求項４】
前記凹部を前記貼付材の前記貼付垂直方向への曲げにおける内周側の外側において開放させた請求項２又は請求項３記載の貼付構造。
【手続補正書】
【提出日】平成27年2月10日(2015.2.10)
【手続補正１】
【補正対象書類名】明細書
【補正対象項目名】０００６
【補正方法】変更
【補正の内容】
【０００６】
請求項１に記載の貼付構造は、凹部が設けられ、前記凹部の周囲に貼付面が設けられた貼付体と、前記貼付面に平行な貼付垂直方向に曲げられた状態で前記貼付面に貼付けられた貼付材と、前記貼付材が対向される対向体と、を備えている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２に記載の貼付構造は、請求項１に記載の貼付構造において、前記凹部の開口寸法が前記貼付材の前記貼付垂直方向への曲げにおける内周側の前記凹部を外周側の前記凹部に比し大きくされている。
【手続補正４】
【補正対象書類名】明細書
【補正対象項目名】０００９
【補正方法】変更
【補正の内容】
【０００９】
請求項３に記載の貼付構造は、請求項１又は請求項２に記載の貼付構造において、前記凹部の一部を前記貼付材の前記貼付垂直方向への曲げにおける内周側の外側において開放させている。
【手続補正５】
【補正対象書類名】明細書
【補正対象項目名】００１２
【補正方法】変更
【補正の内容】
【００１２】
さらに、貼付材が貼付面に平行な貼付垂直方向に曲げられた状態で貼付体の貼付面に貼付けられている。このため、貼付材に皺が発生し易い。
【手続補正６】
【補正対象書類名】明細書
【補正対象項目名】００１４
【補正方法】変更
【補正の内容】
【００１４】
請求項２に記載の貼付構造では、貼付体の凹部の開口寸法が貼付材の貼付垂直方向への曲げにおける内周側の凹部を外周側の凹部に比し大きくされている。
【手続補正７】
【補正対象書類名】明細書
【補正対象項目名】００１６
【補正方法】変更
【補正の内容】
【００１６】
請求項３に記載の貼付構造では、凹部の一部が貼付材の貼付垂直方向への曲げにおける内周側の外側において開放されている。
【手続補正８】
【補正対象書類名】明細書
【補正対象項目名】００４２
【補正方法】変更
【補正の内容】
【００４２】
さらに、シートバックパネル１６の内周側（不織布３８のシートバックパネル１６内周側への曲げにおける内周側）の内凹部３２の開口幅寸法がシートバックパネル１６の外周側（不織布３８のシートバックパネル１６内周側への曲げにおける外周側）の外凹部２４の開口幅寸法に比し大きくされている。
【手続補正９】
【補正対象書類名】明細書
【補正対象項目名】００４４
【補正方法】変更
【補正の内容】
【００４４】
しかも、不織布３８が第４貼付部３０の第４貼付面３０Ａの長手方向中間部まで貼付けられており、内凹部３２の一部が不織布３８の曲率中心側端（不織布３８のシートバックパネル１６内周側への曲げにおける内周側の外側）からシートバックパネル１６の内周側に開放されている。このため、不織布３８の曲率中心側において不織布３８に発生する皺が内凹部３２に一層効果的に吸収されることで、不織布３８に皺が発生することを一層効果的に抑制できる。
【手続補正１０】
【補正対象書類名】特許請求の範囲
【補正対象項目名】全文
【補正方法】変更
【補正の内容】
【特許請求の範囲】
【請求項１】
凹部が設けられ、前記凹部の周囲に貼付面が設けられた貼付体と、
前記貼付面に平行な貼付垂直方向に曲げられた状態で前記貼付面に貼付けられた貼付材と、
前記貼付材が対向される対向体と、
を備えた貼付構造。
【請求項２】
前記凹部の開口寸法が前記貼付材の前記貼付垂直方向への曲げにおける内周側の前記凹部を外周側の前記凹部に比し大きくされた請求項１記載の貼付構造。
【請求項３】
前記凹部の一部を前記貼付材の前記貼付垂直方向への曲げにおける内周側の外側において開放させた請求項１又は請求項２記載の貼付構造。